(57)【要約】試験にかけられる人々の認知または感覚運動の能力もしくは才能を評価するために使用可能なデータを作成するために、それ自体が既知の方法（たとえば、磁気による脳撮影法または脳波検査法）によって収集され、かつ前記試験人物の脳の活動を表わす測定サンプルは、試験人物が直面する一連の異なる試験条件に同期されて記録される。活動の関連する変化は、記録された測定サンプルから追跡され、局所化される。次に関連する活動の変化の局所性に基づいてグループが形成され、グループの各々は所定の脳の領域の活動の変化を含む。前記グループは相互に関連付けられ、関連する活動の変化のグループ間の関係を説明するデータが評価のために準備され、たとえば、実験的に決定された制限値または比較データとともに視覚的または聴覚的に提示される。磁気による脳撮影法または脳波検査法は、測定サンプルを収集するのに好適である。作成されたデータは、試験条件が特定の経験を思い出すことによって解決可能な問題であり、かつ上述のグループが、脳の前頭葉、後頭葉および頭頂葉に対して所定であり、かつ側頭葉、海馬および大脳辺縁系に対して所定であるときに、経験に依存する能力に関して試験人物を評価するのに特に好適である。この発明の方法は、嘘発見器にも適用可能である。【特許請求の範囲】
【請求項１】
試験人物の認知または感覚運動の能力もしくは才能を評価するために使用されるデータを生成するための方法であって、それ自体が既知の測定手段によって収集され、かつ前記試験人物の脳の活動を画像化する測定サンプルは、前記試験人物への一連の試験条件の提示と同期されるタイムフレーム中に登録され、前記収集された測定サンプルから、脳の活動での関連する変化が前記試験人物の脳で追跡されかつ見つけられ、前記関連する活動の変化は複数のグループに割振られ、各グループは所定の脳の領域で見つけられた前記関連する活動の変化を含み、関連する活動の変化の前記グループは相互に関連付けられ、前記グループ間の関係を規定するデータが評価のために準備されることを特徴とする、方法。
【請求項２】
前記関連する活動の変化を追跡しかつ見つけるステップ、前記関連する活動の変化をグループに割振るステップ、および前記グループを相互に関連付けるステップは、すべてのタイムフレームで登録された前記測定サンプルの合計に対して、または各個々のタイムフレームに対して、もしくはタイムフレームの各々のグループに対して実行されることを特徴とする、請求項１に記載の方法。
【請求項３】
測定サンプルの登録のための前記タイムフレームは、タイムフレームが一連の各試験条件の始まりとともに開始するような態様で一連の試験条件と同期されることを特徴とする、請求項１または２に記載の方法。
【請求項４】
前記各タイムフレームは、０．１秒から３０００秒の間の長さを有することを特徴とする、請求項３に記載の方法。
【請求項５】
前記試験条件は、特定の経験を使用して解決可能で、かつ視覚的または聴覚的に提示される問題であることを特徴とする、請求項１から４のいずれかに記載の方法。
【請求項６】
前記試験条件は、前記試験人物のあり得る経験に向けられた画像または他の条件であることを特徴とする、請求項１から４のいずれかに記載の方法。
【請求項７】
前記関連する活動の変化は、フィルタリングによっておよび／またはアドミッタンス試験によって追跡されることを特徴とする、請求項１から６のいずれかに記載の方法。
【請求項８】
前記関連する活動の変化をグループに割振るステップの脳の領域は、前頭葉、後頭葉および頭頂葉の脳の領域、ならびに側頭葉、海馬および大脳辺縁系の脳の領域であることを特徴とする、請求項１から６のいずれかに記載の方法。
【請求項９】
前記関連する活動の変化のグループを相互に関連付けるステップは、前記グループで関連する活動の変化の数の割合を決定するステップを含むことを特徴とする、請求項１から８のいずれかに記載の方法。
【請求項１０】
前記データを評価のために準備するステップは、実験に基づいて決定された評価格付け、比較可能なデータおよび／またはしきい値とともに、前記グループの関係を説明するデータを視覚的または聴覚的に提示するステップを含むことを特徴とする、請求項１から９のいずれかに記載の方法。
【請求項１１】
前記測定サンプルは、磁気による脳撮影法または脳波検査法によって収集され、前記関連する活動の変化は、４ヘルツから８０ヘルツの周波数範囲でかつ９０％より大きい適合度の電位源であることを特徴とする、請求項１から１０のいずれかに記載の方法。
【請求項１２】
前記測定サンプルは、１０ヘルツから５０００ヘルツの周波数で記録されることを特徴とする、請求項１１に記載の方法。
【請求項１３】
試験人物の認知または感覚運動の能力もしくは才能を評価するために使用されるデータを生成するためのデータ処理システムであって、前記システムは、それ自体が既知の方法によって収集された測定サンプルの入力のためのインターフェイスを含み、前記測定サンプルは前記試験人物の脳の活動を画像化し、前記システムは、前記試験人物に一連の異なる試験条件を提示するための手段と、前記一連の試験条件を測定サンプルが登録されるタイムフレームと同期するための手段と、前記登録された測定サンプルから関連する活動の変化を追跡しかつ見つけるための手段と、複数の異なる所定の脳の領域での活動の変化の場所に基づいて前記関連する活動の変化を複数のグループに割振るための手段と、前記関連する活動の変化のグループを相互に関連付けるための手段と、前記グループ間の関係を説明するデータを評価のために準備するための手段とを含むことを特徴とする、データ処理システム。
【請求項１４】
前記関連する活動の変化を追跡しかつ見つけるための手段は、フィルタリングのための手段、および／または前記追跡された活動の変化をアドミッタンス試験にかけるための手段を含むことを特徴とする、請求項１３に記載のデータ処理システム。
【請求項１５】
前記一連の試験条件の視覚的または聴覚的な提示のために、および／または前記グループの関係を反映するデータを評価のために準備するステップのために、表示スクリーンまたはスピーカをさらに含むことを特徴とする、請求項１３または１４のいずれかに記載のデータ処理システム。
【請求項１６】
プログラムコードが内部に記憶された記憶媒体であって、前記記憶媒体は、コンピュータに挿入されると、請求項１から１２のいずれかに記載の方法をコンピュータに行なわせる、記憶媒体。
【請求項１７】
試験人物を経験を使用する能力に関して評価するための請求項１から１２のいずれかに記載の方法の使用。
【請求項１８】
嘘発見器としての請求項１から１２のいずれかに記載の方法の使用。
【発明の詳細な説明】
【技術分野】
【０００１】
この発明は、最も広い意味では診断の分野にあり、第１の独立クレームによる方法に関する。この方法は、試験人物の認知および感覚運動の能力ならびに才能を評価するために使用されるデータを生成するのに役立つ。
【背景技術】
【０００２】
現在では、効率、すなわち、人間の精神的な資源を含むすべての資源を最大限に活用することが特に職業的な生活では非常に重要である。したがって、個人的なキャリアの計画および中間の新規ならびに再度の調整および他人のキャリアに関して大きく期待が高まっている。有望なキャリアの計画では、対象となる人物の認知および感覚運動の能力を評価できることが重要である。最大限の業績のために十分な能力を有する分野で働きたいと思う人もいれば、意図される活動分野に大きく能力を貢献する従業員を選びたい人もいれば、不十分な能力によるキャリアの中断を避けたい人もいる。
【０００３】
この望みは、最新技術によると、或る人物がかけられる心理学的な試験を広く選ぶことによって満たされ、これらの試験の結果は専門家によって解釈される。大半の場合、試験は、精神的な努力によって問題を解決する試験人物および、その問題に対する試験人物の解決策を評価することを含む。多くの場合、しかしながら、どのようにその試験人物が解決策に到達したかを追跡するのは不可能であるか、または不十分であり、したがって、試験人物がどの能力を適用したかを追跡することは不可能であるか、または不十分である。この「どのように」は、達成された結果ほど試験の本質に依存度せず、試験人物の能力を評価するために非常に興味深く、かつ意味のあるものである。
【０００４】
精神的な活動を観察できるようにするさまざまな方法が脳の研究から知られている。そのような方法によると、たとえば、知覚活動および認知活動に伴う脳の活動（たとえば、神経の放電）を時系列的に追跡するだけでなく、見つけることができる。このために、たとえば、磁気による脳撮影法または脳波検査法によって、電位に関して脳野が測定される。そのような測定値によって、局所的な電位の起源（電位源）を追跡することができる。磁気による脳撮影法は、試験人物の頭のまわりに配置された多数のインダクタで脳の電界によって誘導される電位を登録する。さまざまなインダクタで同時に登録された電位に基づいて、その野の電位がそこから来る場所を決定することができ（電位源の脳の場所を決定することができ）、異なる脳の機能を異なる脳の領域に割当てることができる。
【０００５】
磁気による脳撮影法または脳波検査法に基づくもののような脳の活動の同様な観察は、たとえば、本質的に脳の血液循環の局所的かつ一時的な変化が観察される陽電子射出断層撮影法（ＰＥＴ）によって、または機能的磁気共鳴画像化（ｆＭＲＩ）によって可能である。
【発明の開示】
【発明が解決しようとする課題】
【０００６】
この発明の目的は、試験人物の認知および感覚運動の能力または才能を評価するために使用されるデータを生成するための方法を作成することである。生成されたデータは、たとえば、試験人物を適切な技能のカテゴリで格付けするため、試験人物を特定の能力に関して直接的に比較するため、または試験人物の特定の業績を評価するために（たとえば、発言が嘘であるか否かを評価するため、嘘発見器）使用可能である。
【課題を解決するための手段】
【０００７】
この目的は、請求項で規定される方法によって達成される。
【０００８】
この発明による方法は、それ自体が既知の測定方法（たとえば、磁気による脳撮影法、脳波検査法、ＰＥＴ、ＦＭＲＩ）によって試験人物から収集された或る量の測定データを構築する。多数の測定サンプルからなるそのような量の測定データは、試験人物の脳の活動の画像を構成する。磁気による脳撮影法を使用するとき、各測定サンプルは、所与の時間（サンプル点）でインダクタから記録された誘導電圧からなる。測定データが登録されるタイムフレームは、試験人物に提示される一連の異なる試験条件と同期される。そのような各タイムフレームは、新しい試験条件と本質的に同時に開始し、試験条件の本質と両立する所定の長さであり、有利である。試験条件は、評価される能力または才能の分野での試験人物の経験を扱う視覚的、聴覚的、または身体の知覚の刺激を含む。
【０００９】
登録された測定サンプルから、脳の活動での関連する変化が追跡され、見つけられる。言い換えると、脳の活動に変化のある脳の領域は、その活動の変化が、提示された条件がその活動の変化の理由であると仮定するのに十分に関連する場合に記録される。磁気による脳撮影法または脳波検査法によって収集された測定サンプルから、電位源（電位の起源の場所）が計算され、関連する活動の変化が追跡され、見つけられる。測定サンプルおよび／または測定データから生成されかつ電位源を説明するデータは、関連する電位源のみを追跡するためにフィルタリングされる。
【００１０】
測定サンプルから見つけられた脳の活動での関連する変化は、複数のグループに割振られ、各グループは所定の脳の領域に割当てられた活動の変化を含む。これは一般的に行なわれ、すなわち、すべての追跡された関連する活動の変化に対して、または各個々のタイムフレームに対して、もしくは各個々の試験条件に対して、または同じ主題によって関連付けられる試験条件のグループに対して行なわれる。ここで、関連する活動の変化の各グループは、１つの所定の脳の領域で起こった関連する変化を含む。特定の脳の領域に割当てられた関連する活動の変化のグループは、次に相互に関連付けられる。
【００１１】
所与の性質の一連の異なる試験条件に対して登録された当初収集された量の測定データから生成された、そのようなグループの関係は、認知または感覚運動の能力に関して異なる試験人物を比較するために直接的に使用できることがわかっている。ここで、評価される能力は、特に、試験条件の本質、測定サンプルを登録するためのタイムフレームの同期および持続時間、ならびに異なる脳の領域の定義を決定する。そのようなグループの関係の助けを借りると、各タイムフレームに対して確立されている場合、または各試験条件に対して確立されている場合、もしくは同様の主題に関係する試験条件のグループに対して確立されている場合、試験人物の非常に具体的な認知または感覚運動の能力を評価できることもわかっている。たとえば、そのようなグループの関係を試験条件での試験人物のコメントと比較することが可能であり、これによって、嘘発見器の意味で真実の内容を導き出すことができる。
【００１２】
試験人物の能力を判断するために、グループの関係を表わすデータは、たとえば、実験によって確立された較正曲線またはしきい値と比較され、したがって、試験人物を所定の能力のカテゴリに関して格付けすることができ、または、さまざまな試験人物のグループの関係のデータは、互いに直接的に比較することができる。
【００１３】
この発明による方法は、本質的に以下の４つのステップを含み、この４つのステップは、
（１）  試験人物に提示されている一連の異なる試験条件と同期されるタイムフレームで試験人物の脳の活動を画像化する測定サンプルを登録するステップと、
（２）  （すべてのタイムフレームまたは各タイムフレームもしくはタイムフレームのグループに対して）登録された測定サンプルから脳の活動での関連する変化を追跡しかつ見つけるステップと、
（３）  脳の活動の関連する変化のいくつかのグループを生成するステップとを含み、各グループは、所定の脳の領域に割当てられ、すなわち、この脳の領域で見つけられた追跡された関連する活動の変化を含み、この４つのステップはさらに、
（４）  異なる脳の領域に割当てられたグループを所定の態様で相互に関連付け、かつ評価のためにグループの関係を規定するデータを準備するステップを含む。
【００１４】
チェスをする人のElo−表と、チェスの試合中に追跡された前頭葉、後頭葉および頭頂葉（記憶）の電位源の数、ならびに側頭葉、海馬および脳辺縁系（コード化）の電位源の数の関係との相互関係の発見に基づく。この発見は、データ収集のために磁気による脳撮影法を使用して行なわれた〔Amidzic, O.ら、Nature、４１２，９巻、２００１年８月〕。
【発明を実施するための最良の形態】
【００１５】
以下にさらに詳しく説明されるこの発明による方法の例示的な実施例は、特定の分野での経験を使用して、この分野での問題を解決する能力に関して試験人物を評価するのに役立つ（専門知識の評価）。経験を幅広く使用することは、さまざまな活動分野、特に戦略的な分野での高い能力を示す。
【００１６】
一連の異なる試験条件が試験人物に提示される。試験条件は、異なる問題を表し、たとえば、視覚化された形で試験人物に提示され、評価される専門知識を用いて解決することができる。試験人物の脳の活動を画像化する測定サンプルは、各提示とともに、またはその直後に開始し、かつ０．１秒から３０００秒継続するタイムフレーム中に登録される。測定サンプルは、たとえば、それ自体が既知の態様（磁気による脳撮影法）で、かつ１０ヘルツから５０００ヘルツのサンプリング周波数（２０ヘルツから１４００ヘルツが好ましい）を用いて脳野の電位を測定することによって得られる。
【００１７】
観察された活動の変化を適用されたモデル（フィルタリング）に好適なアドミッタンス試験にかけ、変化のうちの関連するものを分離し、かつそのような関連する活動の変化の脳での発生場所を決定することによって、登録された測定サンプルから、脳の活動での関連する変化が追跡され、見つけられる。このことは、磁気による脳撮影法によって測定された脳野の電位から、電位源が計算されることを意味する。４ヘルツから８０ヘルツ（好ましくは、２０ヘルツから４０ヘルツ、認知の脳の活動）の周波数範囲で、かつ９０％より大きい「適合度」の電位源が分離され、評価のためにさらに使用される。適用可能な場合、電位源の強度もフィルタリングのプロセスにかけることができる。
【００１８】
アドミッタンス試験によって追跡され見つけられた関連する活動の変化（たとえば、磁気による脳撮影法によって登録されたデータから計算された電位源）は、次に、それらの発生の脳の領域（局所性）に基づいて、異なるグループに割当てられる。専門知識に関する評価では、第１の脳の領域は、前頭葉、後頭葉および頭頂葉（記憶）を含み、第２の脳の領域は、側頭葉、海馬、および大脳辺縁系（コード化）を含む。
【００１９】
異なる脳の領域に割当てられた脳の活動での関連する変化のグループは相互に関連付けられる。たとえば、特定の脳の領域で観察された関連する数の関連する変化が、記憶およびコード化をつかさどる上述の２つの脳の領域で決定される。前頭葉、後頭葉および頭頂葉の脳の領域での関連する脳の活動の変化の割合が大きいことは、高いレベルの専門知識を示す（適切な経験の幅広い使用）。側頭葉、海馬および大脳辺縁系の脳の領域での関連する活動の変化の割合が大きいことは、低いレベルの専門知識を示す。
【００２０】
上述のグループの関係を説明するデータ（関係データ）は、たとえば、比較可能なデータ、較正曲線および／または格付けとともに視覚化されることによって、評価のために準備され、またはそれらは直接的に言葉による評価へと処理される。
【００２１】
上述のこの発明による方法の実施例は、わずかに変形された形で、試験人物が或る試験条件を個人的な経験と結び付けているか否か、たとえば、提示された画像を既に見ているか否かを試験するために使用することもできる。したがって、この方法は、関係データが試験人物によってなされた発言に結び付られている場合、たとえば、嘘発見器の機能として使用することができる。ここで、そのプロセスは或る能力の評価について上で述べたのと本質的に同じであるが、測定サンプルの分析は一般的には行なわれず、すなわち、すべての利用可能なタイムフレームまたは試験条件をそれぞれ使用しては行なわれず、個々のタイムフレームについて、または個々の試験条件について、もしくは所定の主題に関連する試験条件のグループについて実行される点が異なる。次に、試験人物は、たとえば、一連の肖像または条件の画像に面する。提示に続く各タイムフレームでは、測定サンプルが登録され、関連する脳の活動の変化が検出され、見つけられる。前頭葉、後頭葉および頭頂葉の脳の領域に割当てられるそのような関連する変化の割合が大きいこと、または側頭葉、海馬、および大脳辺縁系の脳の領域に割当てられる関連する活動の変化の割合が小さいことは、試験条件が経験を扱っていること、すなわち、その人物が表現された人物または条件に馴染みがあることを示す。
【００２２】
この発明による方法のさらに別の実施例は、たとえば、サンプリングおよび試験条件の提示の同期に関して、活動の変化のうちの関連するものを決定するためのアドミッタンス試験に関して、脳の領域またはそれらの境界の決定に関して、および／または関係データの計算に関して、上述の実施例とは異なる。たとえば、解決のために有用な材料への最初の脳のアクセスを評価するのではなく、提示された問題の解決の仕方を評価するために、サンプリングのためのタイムフレームは、試験人物が最初に試験条件を提示される時間とは離され、および／または拡張される。３つ以上の、しかしより小さい脳の領域を区別することが可能であり、必要なグループの関係データを計算するためのそれらの数の代わりに、追跡された活動の変化の合計された強度、または同様の量を使用することができる。
【００２３】
試験条件の選択およびそれらの時系列的な連続を含むこの発明による方法の最適なパラメータは、各用途に対する実験によって確立される。同じことが、試験人物の格付けまたは比較のための格付けおよび／またはしきい値の決定にも当てはまる。
【００２４】
この発明による方法を実行するための装置は、本質的にデータ処理システムである。このデータ処理システムは、試験人物の脳の活動を測定するためにシステムによって収集された多数の測定サンプルを入力するためのインターフェイスを含む。この実装は、一連の異なる試験条件を試験人物に提示するための手段、上述の提示を測定サンプルの登録と同期させるための手段、登録された測定サンプルから関連する活動の変化を追跡し、見つけるための手段、それらの発生の場所を所定の脳の領域に割当てることによって、関連する活動の変化を複数のグループに割振る手段、関連する活動の変化のグループ間の関係を規定するデータを生成するための手段、および評価のために関連データを準備するための手段をさらに含む。
【００２５】
上述のデータ処理システムは、たとえば、好適にプログラムされたコンピュータユニット、および試験条件を試験人物に視覚的または聴覚的に提示するためのディスプレイスクリーンまたはスピーカを含む。そこにプログラムが記憶された記憶媒体も保護され、このプログラムは、既知のシステムソフトウェアを備えたコンピュータにインストールされると、この発明による方法をコンピュータに実行させることができる。
【国際調査報告】
2005531347.tif 000002
2005531347.tif 000003
2005531347.tif 000004
2005531347.tif 000005